【手続補正書】
【提出日】平成24年3月1日(2012.3.1)
【手続補正１】
【補正対象書類名】特許請求の範囲
【補正対象項目名】全文
【補正方法】変更
【補正の内容】
【特許請求の範囲】
【請求項１】
遊技機から出力される出力情報を取得する出力情報取得手段を有する携帯端末と、前記出力情報を取得した携帯端末からのアクセスに応じて特典を付与するための処理を行なう遊技用サーバとを備える遊技用システムであって、
前記携帯端末は、
前記出力情報取得手段によって前記出力情報が取得されたことを条件として、前記遊技用サーバにアクセスするとともに、当該アクセスに伴って前記取得された出力情報の種類を特定可能な出力情報特定情報と前記携帯端末を個々に識別可能な携帯識別情報とを前記遊技用サーバに送信する送信手段を備え、
前記遊技用サーバは、
前記送信手段により送信されてきた出力情報特定情報と前記携帯識別情報とを受信する受信手段と、
複数種類の出力情報の組合せに応じて付与する特典を設定する特典設定手段と、
各携帯識別情報に対応付けて前記受信手段により受信した出力情報特定情報を記憶する携帯別出力情報記憶手段と、
前記受信手段により出力情報特定情報と携帯識別情報とを受信したときに、該受信した携帯識別情報に対応付けて前記携帯別出力情報記憶手段に記憶されている出力情報特定情報を特定する出力情報特定情報特定手段と、
該出力情報特定情報特定手段により特定された出力情報特定情報により特定される出力情報の種類と前記受信した出力情報特定情報により特定される出力情報の種類との組合せに対して前記特典設定手段にて設定された特典を付与するための特典付与処理を行なう特典付与処理手段とを備えることを特徴とする、遊技用システム。
【請求項２】
遊技機から出力される出力情報を取得する出力情報取得手段を有する携帯端末からのアクセスに応じて特典を付与するための処理を行なう遊技用サーバであって、
前記出力情報を取得した前記携帯端末からのアクセスに伴って当該出力情報の種類を特定可能な出力情報特定情報と、該携帯端末を個々に識別可能な携帯識別情報とを、受信する受信手段と、
複数種類の出力情報の組合せに応じて付与する特典を設定する特典設定手段と、
各携帯識別情報に対応付けて前記受信手段により受信した出力情報特定情報を記憶する携帯別出力情報記憶手段と、
前記受信手段により出力情報特定情報と携帯識別情報とを受信したときに、該受信した携帯識別情報に対応付けて前記携帯別出力情報記憶手段に記憶されている出力情報特定情報を特定する出力情報特定情報特定手段と、
該出力情報特定情報特定手段により特定された出力情報特定情報により特定される出力情報の種類と前記受信した出力情報特定情報により特定される出力情報の種類との組合せに対して前記特典設定手段にて設定された特典を付与するための特典付与処理を行なう特典付与処理手段とを備えることを特徴とする、遊技用サーバ。
【請求項３】
特典を付与するための処理を行なう遊技用サーバにアクセスするために必要な出力情報を携帯端末に対して出力する遊技機であって、
前記携帯端末に対して前記出力情報を出力するための情報を記憶する記憶手段と、
前記出力情報を出力するための予め定められた出力条件が成立する毎に、前記記憶手段に記憶されている情報に基づいて、前記出力情報の種類を特定可能な出力情報特定情報を含む出力情報を出力する出力手段とを含み、
前記出力情報に含まれる出力情報特定情報は、前記携帯端末で取得された出力情報特定情報を該携帯端末から受信した前記遊技用サーバが記憶可能な情報であり、当該携帯端末から受信した出力情報特定情報と前記記憶している出力情報特定情報とにより特定される複数の出力情報の組合せに対する特典を付与する際に用いられる情報であることを特徴とする、遊技機。
【請求項４】
遊技機から出力される出力情報を取得する出力情報取得手段を有する携帯端末と、前記出力情報を取得した携帯端末からのアクセスに応じて特典を付与するための処理を行なう遊技用サーバとを備える遊技用システムであって、
前記携帯端末は、
前記出力情報取得手段により取得された複数の出力情報各々の種類を特定可能な出力情報特定情報を記憶する出力情報記憶手段と、
前記遊技用サーバにアクセスするとともに、当該アクセスに伴って前記出力情報記憶手段に記憶されている複数の出力情報特定情報を前記遊技用サーバに送信する送信手段とを備え、
前記遊技用サーバは、
前記送信手段により送信されてきた前記複数の出力情報特定情報を受信する受信手段と、
複数種類の出力情報の組合せに応じて付与する特典を設定する特典設定手段と、
前記受信手段により受信した前記複数の出力情報特定情報により特定される複数の出力情報の種類の組合せに対して前記特典設定手段にて設定された特典を付与するための特典付与処理を行なう特典付与処理手段とを備えることを特徴とする、遊技用システム。
【請求項５】
遊技機から出力される出力情報を取得する出力情報取得手段を有する携帯端末からのアクセスに応じて特典を付与するための処理を行なう遊技用サーバであって、
複数の出力情報を取得した前記携帯端末からのアクセスに伴って当該複数の出力情報各々の種類を特定可能な出力情報特定情報を、受信する受信手段と、
複数種類の出力情報の組合せに応じて付与する特典を設定する特典設定手段と、
前記受信手段より受信した前記複数の出力情報特定情報により特定される複数の出力情報の種類の組合せに対して前記特典設定手段にて設定された特典を付与するための特典付与処理を行なう特典付与処理手段とを備えることを特徴とする、遊技用サーバ。
【請求項６】
特典を付与するための処理を行なう遊技用サーバにアクセスするために必要な出力情報を携帯端末に対して出力する遊技機であって、
前記携帯端末に対して前記出力情報を出力するための情報を記憶する記憶手段と、
前記出力情報を出力するための予め定められた出力条件が成立する毎に、前記記憶手段に記憶されている情報に基づいて、前記出力情報の種類を特定可能な出力情報特定情報を含む出力情報を出力する出力手段とを含み、
前記出力情報に含まれる出力情報特定情報は、前記携帯端末に複数記憶可能な情報であり、当該複数の出力情報特定情報を前記携帯端末から受信した前記遊技用サーバが該複数の出力情報特定情報により特定される複数の出力情報の組合せに対する特典を付与する際に用いられる情報であることを特徴とする、遊技機。
【請求項７】
遊技機から出力される出力情報を取得する出力情報取得手段と、
前記出力情報取得手段により取得された複数の出力情報各々の種類を特定可能な出力情報特定情報を記憶する出力情報記憶手段と、
前記出力情報取得手段によって前記出力情報が取得されたことを条件に、複数種類の出力情報の組合せに応じて付与する特典を設定し、携帯端末から受信した複数の出力情報特定情報から特定される複数の出力情報の組合せに対して設定された特典を付与するための特典付与処理を行なう遊技用サーバにアクセスするとともに、当該アクセスに伴って前記出力情報記憶手段に記憶されている複数の出力情報特定情報を前記遊技用サーバに送信する送信手段とを備えることを特徴とする、携帯端末。
【請求項８】
遊技機から出力される出力情報を取得する出力情報取得手段を有する携帯端末に記憶され実行される携帯端末用プログラムと、前記出力情報を取得した携帯端末からのアクセスに応じて特典を付与するための処理を行なう遊技用サーバに記憶され実行される遊技用サーバプログラムとを含む遊技用プログラムであって、
前記携帯端末用プログラムは、
前記出力情報取得手段によって前記出力情報が取得されたことを条件として、前記遊技用サーバにアクセスするとともに、当該アクセスに伴って前記取得された出力情報の種類を特定可能な出力情報特定情報と前記携帯端末を個々に識別可能な携帯識別情報とを前記遊技用サーバに送信する送信ステップを備え、
前記遊技用サーバプログラムは、
前記送信ステップにより送信されてきた出力情報特定情報と携帯識別情報とを受信する受信ステップと、
複数種類の出力情報の組合せに応じて付与する特典を設定する特典設定ステップと、
各携帯識別情報に対応付けて前記受信ステップにより受信した出力情報特定情報を記憶する携帯別出力情報記憶ステップと、
前記受信ステップにより出力情報特定情報と携帯識別情報とを受信したときに、該受信した携帯識別情報に対応付けて前記携帯別出力情報記憶ステップにより記憶されている出力情報特定情報を特定する出力情報特定情報特定ステップと、
該出力情報特定情報特定ステップにより特定された出力情報特定情報により特定される出力情報の種類と前記受信した出力情報特定情報により特定される出力情報の種類との組合せに対して前記特典設定ステップにて設定された特典を付与するための特典付与処理を行なう特典付与処理ステップとを含むことを特徴とする、遊技用プログラム。
【請求項９】
遊技機から出力される出力情報を取得する出力情報取得手段を有する携帯端末に記憶され実行される携帯端末用プログラムと、前記出力情報を取得した携帯端末からのアクセスに応じて特典を付与するための処理を行なう遊技用サーバに記憶され実行される遊技用サーバプログラムとを含む遊技用プログラムであって、
前記携帯端末用プログラムは、
前記出力情報取得手段により取得された複数の出力情報各々の種類を特定可能な出力情報特定情報を記憶する出力情報記憶ステップと、
前記遊技用サーバにアクセスするとともに、当該アクセスに伴って前記出力情報記憶ステップにより記憶された複数の出力情報特定情報を前記遊技用サーバに送信する送信ステップとを含み、
前記遊技用サーバプログラムは、
前記送信ステップにより送信されてきた前記複数の出力情報特定情報を受信する受信ステップと、
複数種類の出力情報の組合せに応じて付与する特典を設定する特典設定ステップと、
前記受信ステップにより受信した前記複数の出力情報特定情報により特定される複数の出力情報の種類の組合せに対して前記特典設定ステップにて設定された特典を付与するための特典付与処理を行なう特典付与処理ステップとを含むことを特徴とする、遊技用プログラム。
【請求項１０】
遊技機から出力される出力情報を取得する出力情報取得ステップと、
前記出力情報取得ステップにより取得された複数の出力情報各々の種類を特定可能な出力情報特定情報を記憶する出力情報記憶ステップと、
前記出力情報取得ステップによって出力情報が取得されたことを条件に、複数種類の出力情報の組合せに応じて付与する特典を設定し、携帯端末から受信した複数の出力情報特定情報から特定される複数の出力情報の組合せに対して設定された特典を付与するための特典付与処理を行なう遊技用サーバにアクセスするとともに、当該アクセスに伴って前記出力情報記憶ステップにより記憶されている複数の出力情報特定情報を前記遊技用サーバに送信する送信ステップとを含むことを特徴とする、携帯端末用プログラム。
【手続補正２】
【補正対象書類名】明細書
【補正対象項目名】発明の名称
【補正方法】変更
【補正の内容】
【発明の名称】遊技用システム、遊技用サーバ、遊技機、携帯端末、遊技用プログラムおよび携帯端末用プログラム
【手続補正３】
【補正対象書類名】明細書
【補正対象項目名】０００５
【補正方法】変更
【補正の内容】
【０００５】
（１）  遊技機（たとえば、パチンコ遊技機７００）から出力される出力情報（たとえば、２次元コード１９１、所定の演出画像）を取得する出力情報取得手段（たとえば、カメラ部１９０、データ処理部１１０、図１３のＳ１２３〜Ｓ１２５）を有する携帯端末（たとえば、携帯端末１００）と、前記出力情報を取得した携帯端末からのアクセスに応じて特典（たとえば、待受け画像、買物ポイント、記念品）を付与するための処理を行なう遊技用サーバ（たとえば、遊技機メーカサーバ２００）とを備える遊技用システム（たとえば、特典付与システム１０）であって、
前記携帯端末は、
前記出力情報取得手段によって前記出力情報が取得されたことを条件として、前記遊技用サーバにアクセスするとともに、当該アクセスに伴って前記取得された出力情報の種類を特定可能な出力情報特定情報（たとえば、ＵＲＬ、所定の演出画像）と前記携帯端末を個々に識別可能な携帯識別情報（たとえば、会員ＩＤ）とを前記遊技用サーバに送信する送信手段（たとえば、図１３のＳ１３５）を備え、
前記遊技用サーバは、
前記送信手段により送信されてきた出力情報特定情報と前記携帯識別情報とを受信する受信手段（たとえば、図１５のＳ２３１）と、
複数種類の出力情報の組合せに応じて付与する特典を設定する特典設定手段（たとえば、図１８のＳ３０２、図８（ｂ）の組合せ特典ＤＢ）と、
各携帯識別情報に対応付けて前記受信手段により受信した出力情報特定情報を記憶する携帯別出力情報記憶手段（たとえば、図１６のＳ４０３、Ｓ４０６）と、
前記受信手段により出力情報特定情報と携帯識別情報とを受信したときに、該受信した携帯識別情報に対応付けて前記携帯別出力情報記憶手段に記憶されている出力情報特定情報を特定する出力情報特定情報特定手段（たとえば、図１６のＳ４０１、Ｓ４０４）と、
該出力情報特定情報特定手段により特定された出力情報特定情報により特定される出力情報の種類と前記受信した出力情報特定情報により特定される出力情報の種類との組合せに対して前記特典設定手段にて設定された特典を付与するための特典付与処理を行なう特典付与処理手段（たとえば、図１６のＳ４０４、Ｓ４０５）とを備えることを特徴とする。
【手続補正４】
【補正対象書類名】明細書
【補正対象項目名】０００６
【補正方法】変更
【補正の内容】
【０００６】
このような構成によれば、遊技用サーバは、遊技機から出力される出力情報のうち、遊技者の携帯端末が以前に取得した出力情報の種類と今回取得した出力情報の種類との組合せに対して特典設定手段にて設定された特典を付与するため、遊技機から出力情報を取得した遊技者がさらに出力情報を取得してそれら出力情報の種類の組合せに応じた特典を取得するべく再遊技を行なおうとするため、出力情報を取得した遊技者に対する再遊技の動機付けを高めることができる。
【手続補正５】
【補正対象書類名】明細書
【補正対象項目名】０００８
【補正方法】変更
【補正の内容】
【０００８】
このような構成によれば、遊技用サーバは、遊技機から出力される出力情報のうち、遊技者の携帯端末が以前に取得した出力情報の種類と今回取得した出力情報の種類との組合せに対して特典設定手段にて設定された特典を付与するため、遊技機から出力情報を取得した遊技者がさらに出力情報を取得してそれら出力情報の種類の組合せに応じた特典を取得するべく再遊技を行なおうとするため、出力情報を取得した遊技者に対する再遊技の動機付けを高めることができる。
【手続補正６】
【補正対象書類名】明細書
【補正対象項目名】０００９
【補正方法】変更
【補正の内容】
【０００９】
（３）  特典を付与するための処理を行なう遊技用サーバにアクセスするために必要な出力情報を携帯端末に対して出力する遊技機であって、
前記携帯端末に対して前記出力情報を出力するための情報を記憶する記憶手段と、
前記出力情報を出力するための予め定められた出力条件が成立する毎に、前記記憶手段に記憶されている情報に基づいて、前記出力情報の種類を特定可能な出力情報特定情報を含む出力情報を出力する出力手段とを含み、
前記出力情報に含まれる出力情報特定情報は、前記携帯端末で取得された出力情報特定情報を該携帯端末から受信した前記遊技用サーバが記憶可能な情報であり、当該携帯端末から受信した出力情報特定情報と前記記憶している出力情報特定情報とにより特定される複数の出力情報の組合せに対する特典を付与する際に用いられる情報であることを特徴とする。
【手続補正７】
【補正対象書類名】明細書
【補正対象項目名】００１０
【補正方法】変更
【補正の内容】
【００１０】
このような構成によれば、遊技用サーバは、遊技機から出力される出力情報のうち、遊技者の携帯端末が以前に取得した出力情報の種類と今回取得した出力情報の種類との組合せに対して特典を付与するため、遊技機から出力情報を取得した遊技者がさらに出力情報を取得してそれら出力情報の種類の組合せに応じた特典を取得するべく再遊技を行なおうとするため、出力情報を取得した遊技者に対する再遊技の動機付けを高めることができる。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】変更
【補正の内容】
【００１３】
（４）  遊技機（たとえば、パチンコ遊技機７００）から出力される出力情報（たとえば、２次元コード１９１、所定の演出画像）を取得する出力情報取得手段（たとえば、カメラ部１９０、データ処理部１１０、図２１のＳ１２３〜Ｓ１２５）を有する携帯端末（たとえば、携帯端末１００）と、前記出力情報を取得した携帯端末からのアクセスに応じて特典（たとえば、待受け画像、買物ポイント、記念品）を付与するための処理を行なう遊技用サーバ（たとえば、遊技機メーカサーバ２００）とを備える遊技用システム（たとえば、特典付与システム１０）であって、
前記携帯端末は、
前記出力情報取得手段により取得された複数の出力情報各々の種類を特定可能な出力情報特定情報（たとえば、ＵＲＬ、所定の演出画像）を記憶する出力情報記憶手段（たとえば、図１９の特典ＤＢ）と、
前記遊技用サーバにアクセスするとともに、当該アクセスに伴って前記出力情報記憶手段に記憶されている複数の出力情報特定情報を前記遊技用サーバに送信する送信手段（たとえば、図２１のＳ１３５、図２２の４１３）とを備え、
前記遊技用サーバは、
前記送信手段により送信されてきた前記複数の出力情報特定情報を受信する受信手段（たとえば、図１５のＳ２３１）と、
複数種類の出力情報の組合せに応じて付与する特典を設定する特典設定手段（たとえば、図２５のＳ３０２、図８（ｂ）の組合せ特典ＤＢ）と、
前記受信手段により受信した前記複数の出力情報特定情報により特定される複数の出力情報の種類の組合せに対して前記特典設定手段にて設定された特典を付与するための特典付与処理を行なう特典付与処理手段（たとえば、図２３のＳ４０４、Ｓ４０６）とを備えることを特徴とする。
【手続補正１１】
【補正対象書類名】明細書
【補正対象項目名】００１４
【補正方法】変更
【補正の内容】
【００１４】
このような構成によれば、遊技用サーバは、携帯端末から送信される複数の出力情報特定情報により特定される複数の出力情報の種類の組合せに対して特典設定手段にて設定された特典を付与するため、遊技機から出力情報を取得した遊技者がさらに出力情報を取得してそれら出力情報の種類の組合せに応じた特典を取得するべく再遊技を行なおうとするため、出力情報を取得した遊技者に対する再遊技の動機付けを高めることができる。
【手続補正１２】
【補正対象書類名】明細書
【補正対象項目名】００１５
【補正方法】変更
【補正の内容】
【００１５】
（５）  遊技機（たとえば、パチンコ遊技機７００）から出力される出力情報（たとえば、２次元コード１９１、所定の演出画像）を取得する出力情報取得手段（たとえば、カメラ部１９０、データ処理部１１０、図２１のＳ１２３〜Ｓ１２５）を有する携帯端末（たとえば、携帯端末１００）からのアクセスに応じて特典（たとえば、待受け画像、買物ポイント、記念品）を付与するための処理を行なう遊技用サーバ（たとえば、遊技機メーカサーバ２００）であって、
複数の出力情報を取得した前記携帯端末からのアクセスに伴って当該複数の出力情報各々の種類を特定可能な出力情報特定情報（たとえば、ＵＲＬ、所定の演出画像）を、受信する受信手段（たとえば、図１５のＳ２３１、図２３のＳ４０１）と、
複数種類の出力情報の組合せに応じて付与する特典を設定する特典設定手段（たとえば、図２５のＳ３０２、図８（ｂ）の組合せ特典ＤＢ）と、
前記受信手段より受信した前記複数の出力情報特定情報により特定される複数の出力情報の種類の組合せに対して前記特典設定手段にて設定された特典を付与するための特典付与処理を行なう特典付与処理手段（たとえば、図２３のＳ４０４、Ｓ４０６）とを備えることを特徴とする。
【手続補正１３】
【補正対象書類名】明細書
【補正対象項目名】００１６
【補正方法】変更
【補正の内容】
【００１６】
このような構成によれば、遊技用サーバは、携帯端末から送信される複数の出力情報特定情報により特定される複数の出力情報の種類の組合せに対して特典設定手段にて設定された特典を付与するため、遊技機から出力情報を取得した遊技者がさらに出力情報を取得してそれら出力情報の種類の組合せに応じた特典を取得するべく再遊技を行なおうとするため、出力情報を取得した遊技者に対する再遊技の動機付けを高めることができる。
【手続補正１４】
【補正対象書類名】明細書
【補正対象項目名】００１７
【補正方法】変更
【補正の内容】
【００１７】
（６）  特典を付与するための処理を行なう遊技用サーバにアクセスするために必要な出力情報を携帯端末に対して出力する遊技機であって、
前記携帯端末に対して前記出力情報を出力するための情報を記憶する記憶手段と、
前記出力情報を出力するための予め定められた出力条件が成立する毎に、前記記憶手段に記憶されている情報に基づいて、前記出力情報の種類を特定可能な出力情報特定情報を含む出力情報を出力する出力手段とを含み、
前記出力情報に含まれる出力情報特定情報は、前記携帯端末に複数記憶可能な情報であり、当該複数の出力情報特定情報を前記携帯端末から受信した前記遊技用サーバが該複数の出力情報特定情報により特定される複数の出力情報の組合せに対する特典を付与する際に用いられる情報であることを特徴とする。
【手続補正１５】
【補正対象書類名】明細書
【補正対象項目名】００１８
【補正方法】変更
【補正の内容】
【００１８】
このような構成によれば、遊技用サーバは、携帯端末から送信される複数の出力情報特定情報により特定される複数の出力情報の種類の組合せに対して特典を付与するため、遊技機から出力情報を取得した遊技者がさらに出力情報を取得してそれら出力情報の種類の組合せに応じた特典を取得するべく再遊技を行なおうとするため、出力情報を取得した遊技者に対する再遊技の動機付けを高めることができる。
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】変更
【補正の内容】
【００２５】
（７）  遊技機から出力される出力情報を取得する出力情報取得手段（たとえば、カメラ部１９０、データ処理部１１０、図２１のＳ１２３〜Ｓ１２５）と、
前記出力情報取得手段により取得された複数の出力情報各々の種類を特定可能な出力情報特定情報（たとえば、取得ＩＤ、取得済ＩＤ）を記憶する出力情報記憶手段（たとえば、図１９の取得特典ＤＢ、図２１のＳ１２６）と、
前記出力情報取得手段によって前記出力情報が取得されたことを条件に、複数種類の出力情報の組合せに応じて付与する特典を設定し、携帯端末から受信した複数の出力情報特定情報から特定される複数の出力情報の組合せに対して設定された特典を付与するための特典付与処理を行なう遊技用サーバにアクセスするとともに、当該アクセスに伴って前記出力情報記憶手段に記憶されている複数の出力情報特定情報を前記遊技用サーバに送信する送信手段（たとえば、図２１のＳ１３５、図２２の４１３）とを備えることを特徴とする。
【手続補正２３】
【補正対象書類名】明細書
【補正対象項目名】００２６
【補正方法】変更
【補正の内容】
【００２６】
このような構成によれば、携帯端末は、遊技機から出力される複数種類の出力情報の組合せに応じて特典を付与する遊技用サーバへのアクセスに伴って複数の出力情報特定情報を送信し、遊技者は、当該送信した複数の出力情報特定情報により特定される複数の出力情報の種類の組合せに対して設定された特典の付与を受けることができるので、遊技機から出力情報を取得した遊技者がさらに出力情報を取得してそれら出力情報の種類の組合せに応じた特典を取得するべく再遊技を行なおうとするため、出力情報を取得した遊技者に対する再遊技の動機付けを高めることができる。
【手続補正２４】
【補正対象書類名】明細書
【補正対象項目名】００２７
【補正方法】変更
【補正の内容】
【００２７】
（８）  遊技機（たとえば、パチンコ遊技機７００）から出力される出力情報（たとえば、２次元コード１９１、所定の演出画像）を取得する出力情報取得手段（たとえば、カメラ部１９０、データ処理部１１０、図１３のＳ１２３〜Ｓ１２５）を有する携帯端末（たとえば、携帯端末１００）に記憶され実行される携帯端末用プログラム（たとえば、図１３の特典受取アプリ＋復号アプリ）と、前記出力情報を取得した携帯端末からのアクセスに応じて特典を付与するための処理を行なう遊技用サーバ（たとえば、遊技機メーカサーバ２００）に記憶され実行される遊技用サーバプログラム（図１５の特典付与処理）とを含む遊技用プログラムであって、
前記携帯端末用プログラムは、
前記出力情報取得手段によって前記出力情報が取得されたことを条件として、前記遊技用サーバにアクセスするとともに、当該アクセスに伴って前記取得された出力情報の種類を特定可能な出力情報特定情報（たとえば、ＵＲＬ、所定の演出画像）と前記携帯端末を個々に識別可能な携帯識別情報（たとえば、会員ＩＤ）とを前記遊技用サーバに送信する送信ステップ（たとえば、図１３のＳ１３５）を備え、
前記遊技用サーバプログラムは、
前記送信ステップにより送信されてきた出力情報特定情報と携帯識別情報とを受信する受信ステップ（たとえば、図１５のＳ２３１）と、
複数種類の出力情報の組合せに応じて付与する特典を設定する特典設定ステップ（たとえば、図１８のＳ３０２、図８（ｂ）の組合せ特典ＤＢ）と、
各携帯識別情報に対応付けて前記受信ステップにより受信した出力情報特定情報を記憶する携帯別出力情報記憶ステップ（たとえば、図１６のＳ４０３、Ｓ４０６）と、
前記受信ステップにより出力情報特定情報と携帯識別情報とを受信したときに、該受信した携帯識別情報に対応付けて前記携帯別出力情報記憶ステップにより記憶されている出力情報特定情報を特定する出力情報特定情報特定ステップ（たとえば、図１６のＳ４０１、Ｓ４０４）と、
該出力情報特定情報特定ステップにより特定された出力情報特定情報により特定される出力情報の種類と前記受信した出力情報特定情報により特定される出力情報の種類との組合せに対して前記特典設定ステップにて設定された特典を付与するための特典付与処理を行なう特典付与処理ステップ（たとえば、図１６のＳ４０４、Ｓ４０５）とを含むことを特徴とする。
【手続補正２５】
【補正対象書類名】明細書
【補正対象項目名】００２８
【補正方法】変更
【補正の内容】
【００２８】
このような構成によれば、遊技用サーバは、遊技機から出力される出力情報のうち、遊技者の携帯端末が以前に取得した出力情報の種類と今回取得した出力情報の種類との組合せに対して特典設定手段にて設定された特典を付与するため、遊技機から出力情報を取得した遊技者がさらに出力情報を取得してそれら出力情報の種類の組合せに応じた特典を取得するべく再遊技を行なおうとするため、出力情報を取得した遊技者に対する再遊技の動機付けを高めることができる。
【手続補正２６】
【補正対象書類名】明細書
【補正対象項目名】００２９
【補正方法】変更
【補正の内容】
【００２９】
（９）  遊技機（たとえば、パチンコ遊技機７００）から出力される出力情報（たとえば、２次元コード１９１、所定の演出画像）を取得する出力情報取得手段（たとえば、カメラ部１９０、データ処理部１１０、図２１のＳ１２３〜Ｓ１２５）を有する携帯端末（たとえば、携帯端末１００）に記憶され実行される携帯端末用プログラム（たとえば、図２１の特典受取アプリ＋復号アプリ）と、前記出力情報を取得した携帯端末からのアクセスに応じて特典を付与するための処理を行なう遊技用サーバ（たとえば、遊技機メーカサーバ２００）に記憶され実行される遊技用サーバプログラム（図１５の特典付与処理）とを含む遊技用プログラムであって、
前記携帯端末用プログラムは、
前記出力情報取得手段により取得された複数の出力情報各々の種類を特定可能な出力情報特定情報（たとえば、ＵＲＬ、所定の演出画像）を記憶する出力情報記憶ステップ（たとえば、図２１のＳ１２６）と、
前記遊技用サーバにアクセスするとともに、当該アクセスに伴って前記出力情報記憶ステップにより記憶された複数の出力情報特定情報を前記遊技用サーバに送信する送信ステップ（たとえば、図２１のＳ１３５、図２２のＳ４１３）とを含み、
前記遊技用サーバプログラムは、
前記送信ステップにより送信されてきた前記複数の出力情報特定情報を受信する受信ステップ（たとえば、図１５のＳ２３１、図２３のＳ４０１）と、
複数種類の出力情報の組合せに応じて付与する特典を設定する特典設定ステップ（たとえば、図２５のＳ３０２、図８（ｂ）の組合せ特典ＤＢ）と、
前記受信ステップにより受信した前記複数の出力情報特定情報により特定される複数の出力情報の種類の組合せに対して前記特典設定ステップにて設定された特典を付与するための特典付与処理を行なう特典付与処理ステップ（たとえば、図２３のＳ４０４、Ｓ４０６）とを含むことを特徴とする。
【手続補正２７】
【補正対象書類名】明細書
【補正対象項目名】００３０
【補正方法】変更
【補正の内容】
【００３０】
このような構成によれば、遊技用サーバは、携帯端末から送信される複数の出力情報特定情報により特定される複数の出力情報の種類の組合せに対して特典設定手段にて設定された特典を付与するため、遊技機から出力情報を取得した遊技者がさらに出力情報を取得してそれら出力情報の種類の組合せに応じた特典を取得するべく再遊技を行なおうとするため、出力情報を取得した遊技者に対する再遊技の動機付けを高めることができる。
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】変更
【補正の内容】
【００３３】
（１０）  遊技機から出力される出力情報を取得する出力情報取得ステップ（たとえば、図２１のＳ１２３〜Ｓ１２５）と、
前記出力情報取得ステップにより取得された複数の出力情報各々の種類を特定可能な出力情報特定情報を記憶する出力情報記憶ステップ（たとえば、図２１のＳ１２６）と、
前記出力情報取得ステップによって出力情報が取得されたことを条件に、複数種類の出力情報の組合せに応じて付与する特典を設定し、携帯端末から受信した複数の出力情報特定情報から特定される複数の出力情報の組合せに対して設定された特典を付与するための特典付与処理を行なう遊技用サーバにアクセスするとともに、当該アクセスに伴って前記出力情報記憶ステップにより記憶されている複数の出力情報特定情報を前記遊技用サーバに送信する送信ステップ（たとえば、図２１のＳ１３５、図２２のＳ４１３）とを含むことを特徴とする。
【手続補正３１】
【補正対象書類名】明細書
【補正対象項目名】００３４
【補正方法】変更
【補正の内容】
【００３４】
このような構成によれば、携帯端末は、遊技機から出力される複数種類の出力情報の組合せに応じて特典を付与する遊技用サーバへのアクセスに伴って複数の出力情報特定情報を送信し、遊技者は、当該送信した複数の出力情報特定情報により特定される複数の出力情報の種類の組合せに対して設定された特典の付与を受けることができるので、遊技機から出力情報を取得した遊技者がさらに出力情報を取得してそれら出力情報の種類の組合せに応じた特典を取得するべく再遊技を行なおうとするため、出力情報を取得した遊技者に対する再遊技の動機付けを高めることができる。
【手続補正３２】
【補正対象書類名】明細書
【補正対象項目名】００３５
【補正方法】削除
【補正の内容】
【手続補正３３】
【補正対象書類名】明細書
【補正対象項目名】００３６
【補正方法】削除
【補正の内容】